(57)【特許請求の範囲】
【請求項１】
操作ハンドル２が収容され、扉パネル３の取付用開口４に正面側から挿入されるハウジング１の外壁面の前端縁部に、扉パネル３の正面３ａに突き当てられる表側突起部５を形成し、ハウジング１の長手方向の一方側端部に扉パネル３の裏面側に入り込む裏側突起部６を形成し、表側突起部５の一方側端部５ａと裏側突起部６との間に前記取付用開口４の一方側端部の裏面側縁部４ａが係合する位置決め溝部７を形成し、扉パネル３の裏面側に入り込むハウジング１の他方側端部に前記表側突起部５の他方側端部５ｂに向かって開口された空洞部８を形成し、該空洞部８に連通する螺子孔９をハウジング２の背面壁部に形成し、前記空洞部８に収容したストッパー部材１０を扉パネル３の正面３ａと平行な枢軸１１によってハウジング１に枢着し、前記螺子孔９に螺合したセット螺子１２によって前記ストッパー部材１０を押すことによって、ストッパー部材１０の先端側面部１０ａを表側突起部５の前記他方側端部５ｂの背面５ｃと前記取付用開口４の他方側端部の裏面側縁部４ｂに係合させるとともに、
ハウジング１を扉パネル３の前記取付用開口４に挿入するとき、取付用開口４の前記他方側端部の表側縁部４ｃと摺接して前記ストッパー部材１０を前記空洞部８内に退没させる第１カム面部１３をストッパー部材１０の外側面部に形成し、前記セット螺子１２を前記螺子孔９にねじ込むとき、セット螺子１２の先端部と摺接してストッパー部材１０を前記空洞部８より突出させる第２カム面部１４をストッパー部材１０の内側面部に形成し、前記ストッパー部材１０が前記取付用開口４の前記他方側端部の裏面側縁部４ｂより外側に突出するように回転付勢するバネ部材１５をストッパー部材１０とハウジング１の間に設け、前記表側突起部５の他方側端部５ｂの前記背面５ｃと前記取付用開口４の他方側端部の前記裏面側縁部４ｂに係合するストッパー部材１０の前記先端側面部１０ａを弧状に形成したハンドル装置の取付構造において、
ストッパー部材１０には、前記第２カム面部１４の先端側に安定化面部１６を形成してあり、前記セット螺子１２が扉パネル３の板厚に対応した所要深さまでねじ込まれたとき、セット螺子１２の先端部側面が該安定化面部１６に当接することを特徴とするハンドル装置の取付け構造。
【発明の詳細な説明】
【０００１】
【発明が属する技術分野】
本発明は扉パネルに対するハンドル装置の取付構造に関するものである。
【０００２】
【従来の技術】
従来のハンドル装置においては、操作ハンドルを収容したハウジングは、該ハウジングの正面側端部に連設した正面板部の透孔よりビスを扉パネルの螺子孔に正面側から螺子込むか、扉パネルの透孔よりビスをハウジングの螺子孔に背面側から螺子込むことによって、扉パネルに取付けられていた。
【０００３】
しかしながら、このような取付構造では、ハンドル装置の堅固な取付を実行するためには、扉パネルにハウジングを埋め込み装着する取付用開口に加えて、ハウジングの長手方向の両端部に近接した部位に螺子孔や透孔を設ける必要があるため、そのための孔開け加工をしなければならない上に、ビス止めの際には扉パネルの正面側からハンドル装置を取付位置に押えていなければならなかった。
【０００４】
また、実公平３−５４２７４号公報に開示されたハンドル装置の取付構造では、前端部に化粧板を連設したハウジングの長手方向の一端部に化粧板に対して傾斜した斜面部を設け、扉パネルを化粧板と斜面部との間に挿入してから扉パネルの取付用開口にハンドル装置を埋め入れ、他端部に設けた斜面部と係止ブロックとの間に扉パネルを挟み込み、背面側からビスを螺子込んで固定しているが、やはりビス止めの際には、ハンドル装置が扉パネルから外れないように扉パネルの正面側から押えていなければならず、作業能率が悪かった。
【０００５】
【発明が解決しようとする課題】
従って本発明の目的は、扉パネルに取付ビス用の螺子孔や透孔を一切設ける必要がなく、ビス止め作業のためにハウジングを押える必要がなくて取付作業を能率良く行え、また、板厚の異なる各種の扉パネルに有効に適用できる、ハンドル装置の取付構造を提供することである。
【０００６】
【課題を解決するための手段】
以下、添付図面中の参照符号を用いて説明すると、請求項１の発明の主たる特徴は、操作ハンドル２が収容され、扉パネル３の取付用開口４に正面側から挿入されるハウジング１の外壁面の前端縁部に、扉パネル３の正面３ａに突き当てられる表側突起部５を形成し、ハウジング１の長手方向の一方側端部に扉パネル３の裏面側に入り込む裏側突起部６を形成し、表側突起部５の一方側端部５ａと裏側突起部６との間に前記取付用開口４の一方側端部の裏面側縁部４ａが係合する位置決め溝部７を形成し、扉パネル３の裏面側に入り込むハウジング１の他方側端部に前記表側突起部５の他方側端部５ｂに向かって開口された空洞部８を形成し、該空洞部８に連通する螺子孔９をハウジング２の背面壁部に形成し、前記空洞部８に収容したストッパー部材１０を扉パネル３の正面３ａと平行な枢軸１１によってハウジング１に枢着し、前記螺子孔９に螺合したセット螺子１２によって前記ストッパー部材１０を押すことによって、ストッパー部材１０の先端側面部１０ａを表側突起部５の前記他方側端部５ｂの背面５ｃと前記取付用開口４の他方側端部の裏面側縁部４ｂに係合させるとともに、
ハウジング１を扉パネル３の前記取付用開口４に挿入するとき、取付用開口４の前記他方側端部の表側縁部４ｃと摺接して前記ストッパー部材１０を前記空洞部８内に退没させる第１カム面部１３をストッパー部材１０の外側面部に形成し、前記セット螺子１２を前記螺子孔９にねじ込むとき、セット螺子１２の先端部と摺接してストッパー部材１０を前記空洞部８より突出させる第２カム面部１４をストッパー部材１０の内側面部に形成し、前記ストッパー部材１０が前記取付用開口４の前記他方側端部の裏面側縁部４ｂより外側に突出するように回転付勢するバネ部材１５をストッパー部材１０とハウジング１の間に設け、前記表側突起部５の他方側端部５ｂの前記背面５ｃと前記取付用開口４の他方側端部の前記裏面側縁部４ｂに係合するストッパー部材１０の前記先端側面部１０ａを弧状に形成したハンドル装置の取付構造において、
ストッパー部材１０には、前記第２カム面部１４の先端側に安定化面部１６を形成してあり、前記セット螺子１２が扉パネル３の板厚に対応した所要深さまでねじ込まれたとき、セット螺子１２の先端部側面が該安定化面部１６に当接することである。
【０００７】
【発明の作用】
本発明の取付構造によってハンドル装置を扉パネル３に取付けるには、扉パネル３の正面側から、ハウジング１を長手方向の一方側端部の方から扉パネル３の取付用開口４に挿入し、ハウジング１の表側突起部５の一方側端部５ａと裏側突起部６間に形成した位置決め溝部３２に前記取付用開口４の一方側端部の裏面側縁部４ａを係合させる。
この係合点を中心にハウジング１を扉パネル３に向かって転回させて、ハウジング１の他方側端部を取付用開口４に挿入し、前記表側突起部５の全長を扉パネル３の正面３ａに突き当てる。
【０００８】
その後、扉パネル１の裏面側からドライバーを使用してセット螺子１２を回転操作し、ハウジング１の前記空洞部８内に突き出しているセット螺子１２の先端部によってストッパー部材１０を押し動かし、ストッパー部材１０を前記枢軸１１を中心に外向きに回転させ、ストッパー部材１０の先端側面部１０ａを表側突起部５の前記他方側端部５ｂの背面５ｃと取付用開口４の他方側端部の裏面側縁部４ｂに同時に係合させる。
これによってハウジング１は、表側突起部５が扉パネル３の正面３ａに引き付けられた状態で扉パネル３に取付け固着される。
【０００９】
ハウジング１を前記取付用開口４に挿入するとき、ストッパー部材１０の第１カム面部１３が取付用開口４の前記表側縁部４ｃと摺接して、ストッパー部材１０を前記空洞部８内に退没させる。また、セット螺子１２を螺子孔９にねじ込むとき、ストッパー部材１０の第２カム面部１４にセット螺子１２の先端部が摺接して、ストッパー部材１０を空洞部８より突出させ、ストッパー部材１０の先端側面部１０ａを表側突起部５の前記背面５ｃと前記取付用開口４の前記裏面側縁部４ｂに当接させる。
【００１０】
ハウジング１を取付用開口４に挿入する過程において、第１カム面部１３と前記表側縁部４ｃとの摺接によって、ストッパー部材１０が空洞部８内に退没する一方、ハウジング１の表側突起部５が扉パネル３の正面３ａに当接したとき、バネ部材１５の回転付勢によってストッパー部材１０が外側に回転し、この回転終端においてストッパー部材１０の先端側面部１０ａが表側突起部５の前記背面５ｃと取付用開口４の前記裏面側縁部４ｂに当接する。
【００１１】
ストッパー部材１０の先端側面部１０ａは、扉パネル３の板厚に応じて、弧状に形成された一定長さのどこかの点において、表側突起部５の前記背面５ｃと取付用開口４の前記裏面側縁部４ｂに当接する。
【００１２】
セット螺子１２を扉パネル３の板厚に対応した所要深さまでねじ込むことによって、ストッパー部材１０の先端側面部１０ａが表側突起部５の前記他方側端部５ｂの背面５ｃと前記取付用開口４の他方側端部の裏面側縁部４ｂに係合したとき、セット螺子１２の先端部側面が該安定化面部１６に当接する
【００１３】
【発明の実施の形態】
図示の実施例では、螺子孔９は枢軸１１よりも内側の部位において扉パネル３に対して直角に形成されており、セット螺子１２は出荷段階において螺子孔９に一定長さねじ込んで置くことができる。
板状のストッパー部材１０には、第２カム面部１４の先端側に安定化面部１６が形成されており、セット螺子１２が扉パネル３の板厚に対応した所要深さまでねじ込まれたとき、セット螺子１２の先端部側面が該安定化面部１６に当接する。
【００１４】
これによって、ストッパー部材１０は、先端側面部１０ａが表側突起部５の前記背面５ｃと取付用開口４の前記裏面側縁部４ｂに同時に当接した固着成立位置に安定に保持される。
ストッパー部材１０には、前記安定化面部１６と先端側面部１０ａとの間に位置決め面部１７が形成されている。位置決め面部１７が前記空洞部８の内側面８ａに当接するとき、ストッパー部材１０はその全体が空洞部８内に退没する。
【００１５】
ストッパー部材１０の回転付勢用バネ部材１５は、捻りコイルバネで構成され、その屈曲部１５ａは空洞部８の背面側凹部８ｂに収容され、一方の直線部１５ｂは空洞部８の前記内側面８ａに当接し、他方の直線部１５ｃはストッパー部材１０の段差面１８に当接している。
ハウジング１の前記裏側突起部６は、位置決め溝部７に対する取付用開口４の裏面側縁部４ａの係合操作を容易にするために、扉パネル３の正面３ａに対して傾斜させて形成されている。空洞部８はハウジング１の他方側端部の端面に向かっても開口している。表側突起部５は鍔状にハウジング１の前端部の全周に突き出し形成されている。
【００１６】
図示の実施例のハンドル装置は、操作ハンドル３の基端部を横断枢軸２７によって施錠主軸１９の前端部に枢着し、操作ハンドル３に組み込んだ錠前ユニット２０のロータ２１にハウジング１側の受金部材２２に係脱する止め金部材２３を接続する一方、ハウジング１に装着したソレノイド２４のプランジャ２５に受金部材２２を連結してあり、ロータ２１の鍵孔２６に挿入した鍵２８の回転操作によって、あるいはソレノイド２４への通電によって、ハウジング１に対する操作ハンドル２の拘束を解除し、操作ハンドル２をハウジング２から引出し回転させた後、操作ハンドル２で施錠主軸１９を回転駆動することによって、施錠主軸１９に連結したロック部材を固定枠体側の受部に係脱させる形式のものであるが、本発明の取付構造の適用対象はこれに限定されず、ハンドル装置の取付に使用で
きる。
【００１７】
【発明の効果】
以上のように本発明の取付構造では、ハウジング１の一方側端部に形成した位置決め溝部７に扉パネル３の取付用開口４の一方側端部の裏面側縁部４ａを係合させる一方、ハウジング１の螺子孔９に螺合したセット螺子１２で前記第２カム面部１４を押して、ストッパー部材１０を押し回すことによって、ストッパー部材１０の先端側面部１０ａをハウジング１の表側突起部５の他方側端部５ｂの背面５ｃと取付用開口４の他方側端部の裏面側縁部４ｂに係合させるとともに、前記セット螺子１２の先端部側面を前記安定化面部１６に当接させることによって、ハウジング１を扉パネル３に締付け固着するので、扉パネル３には取付ビス用の透孔や螺子孔を一切設ける必要がなく、孔開け加工を省くことができる。
また、ハウジング１を取付用開口４に挿入してハウジング１の表側突起５が扉パネル３の正面３ａに突き当たったとき、バネ部材１０の作用によってストッパー部材１０が自動的に外側に回転して、ストッパー部材１０の先端側面部１０ａが前記表側突起部５の背面５ｃと取付用開口４の裏面側縁部４ｂに係合することによって、ハウジング１が扉パネル３に仮拘束されるため、セット螺子１２を締め込む際にハンドル装置を扉パネル３の正面側から押え付ける必要がなく、取付作業を能率良く行うことができる。更にまた、ストッパー部材１０の先端側面部１０ａを弧状に形成してあるため、板厚の異なる各種の扉パネル３に対して有効に適用することができる。
【図面の簡単な説明】
【図１】  本発明の一実施例に係る取付構造を用いたハンドル装置の正面図である。
【図２】  図１のハンドル装置の左側面図である。
【図３】  図１のハンドル装置の取付状態の縦断面図である。
【図４】  図１のハンドル装置に用いたストッパー部材の側面図である。
【符号の説明】
１  ハウジング
２  操作ハンドル
３  扉パネル
４  取付用開口
５  表側突起部
６  裏側突起部
７  位置決め溝部
８  空洞部
９  螺子孔
１０  ストッパー部材
１１  枢軸
１２  セット螺子
１３  第１カム面部
１４  第２カム面部
１５  バネ部材
【図１】
0003666859.tif 000002
【図２】
0003666859.tif 000003
【図３】
0003666859.tif 000004
【図４】
0003666859.tif 000005